(57)【要約】【課題】宇宙の軌道は拡大し、加速しているとはどのようなことか。【解決手段】宇宙の軌道エネルギーの式は4.8×1027JKｍ÷距離＝速度2、です。その場合、軌道が拡大したならば、減速するはずです。宇宙の軌道が拡大し、かつ加速する場合は、中心のブラックホールの質量が増加し、軌道エネルギーは4.8×1027JKｍ÷距離、より大きく成る事が必要である。現在、中心のブラックホールは、2.631×1013太陽質量であるからこれ以上に成らなければならない。これはビッグクランチです。ビッグクランチに成ると宇宙はどのようになるか。はたして宇宙は拡大するだけなのか。それとも、収縮するのか。ブラックホールの質量を10n太陽質量とし、軌道エネルギー＝5.438×1018+2n/3 JKm÷距離＝速度2の式により考える。【選択図】図１
2013207811.tif 000002
【特許請求の範囲】
【請求項１】
宇宙の筒の外側の半径は拡大し、かつ、加速される場合の条件は何か。
ブラックホールの質量を10n太陽質量だとすると、ブラックホールが作る軌道エネルギー＝5.438×1018＋2n/3Jkm÷距離、です。
それで、距離が同じであっても、ブラックホールの質量が大きくなると、軌道エネルギーは大きくなり、公転速度2は速くなり、加速される。
この事を計算によって、証明する。
宇宙の筒の外側の半径は拡大し、かつ、加速される場合、中心のブラックホールの質量が大きく成る事が必要です。
現在、中心のブラックホールの質量は2.631×1013太陽質量です。5×107光年の軌道の速度は3.189×103Kmです。
もし、中心のブラックホールの質量が101４太陽質量である場合、5×107光年の速度はいくらであるか。そして、3.189×103Kmの速度で走る軌道半径はいくらであるか。
中心のブラックホールの質量が101４太陽質量である場合、軌道エネルギーは、ブラックホールが作る軌道エネルギー＝5.438×1018＋2n/3Jkm÷距離＝5.438×1018＋2×14/3Jkm÷距離＝5.438×1018＋9.3333JKｍ÷距離＝5.438×2.154×1027JKm ÷距離＝1.171×1028JKm÷距離、です。
5×107光年の速度はいくらであるか。
5×107光年の速度は、1.171×1028JKm÷(5×107×9.46×1012Km)＝2.476×10７J。速度＝(2.476×10７)1/2Km=4.976×103Km、です。
5×107光年の速度は4.976×103Kmですから、加速している。
速度は何倍に成っているか。
速度は、4.976×103Km÷(3.189×103Km)＝1.560(倍)に成っている。
軌道エネルギーは何倍に成っているか。
軌道エネルギーは、2.476×10７÷(3.189×103)2＝2.476×10７÷(1.017×10７)＝2.435(倍)に成っている。
3.189×103Kmの速度で走る軌道半径はいくらであるか。
1.171×1028JKm÷距離＝速度2。距離＝1.171×1028JKm÷速度2＝1.171×1028JKm÷(3.189×103)2J＝1.1515×1021Km。1.1515×102１Km÷(9.46×1012Km)＝1.217×108光年
3.189×103Kmの速度で走る軌道半径は1.217×108光年です。
軌道半径は何倍に成っているか。軌道は、1.217×108光年÷(5×107光年)＝2.434(倍)に成っている。
この事によって、中心のブラックホールの質量が増加すると、軌道半径は膨張し、加速する事が理解できた。
表に示す。
表8
2013207811.tif 000010
【請求項２】
ブラックホールの太陽質量と軌道エネルギーの式と軌道エネルギーと速度について。
距離をまず5×107光年とします。
宇宙の中心のブラックホールは、2.631×1013太陽質量ですから、これ以上に成った場合を計算します。
・宇宙の中心のブラックホールが2.631×1013太陽質量の場合。2.631×1013＝1013.4202 
軌道エネルギー＝5.438×1018＋2n/3JKm÷距離＝5.438×1018＋2×13.4202÷3JKm÷距離＝5.438×1018＋8.9468JKm÷距離＝5.438×1026.9468JKm÷距離＝5.438×8.846×1026JKm÷距離＝4.810×1027JKｍ÷(5×107×9.46×1012Km)＝1.017×107J。速度2＝1.017×107Km。速度＝3.189×103Km
・宇宙の中心のブラックホールが1014太陽質量の場合。
軌道エネルギー＝5.438×1018＋2n/3JKm÷距離＝5.438×1018＋2×14/3JKm÷(5×107×9.46×1012Km)＝5.438×1027.333JKm÷(5×107×9.46×1012Km)＝5.438×2.154×1027JKm÷(5×107×9.46×1012Km)＝1.171×1028JKｍ÷(5×107×9.46×1012Km)＝2.476×107J。  速度2＝2.476×107Km。速度＝4.976×103Km。
・宇宙の中心のブラックホールが1015太陽質量の場合。
軌道エネルギー＝5.438×1018＋2n/3JKm÷距離＝5.438×1018＋2×15/3JKm÷(5×107×9.46×1012Km)＝1.150×108J  速度2＝1.150×108Km。速度＝1.072×104Km。
・宇宙の中心のブラックホールが1016太陽質量の場合。
軌道エネルギー＝5.438×1018＋2n/3JKm÷距離＝5.438×1018＋2×16/3JKm÷(5×107×9.46×1012Km)＝5.438×1028.667JKm÷(5×107×9.46×1012Km)＝5.438×4.641×1028JKｍ÷(5×107×9.46×1012Km)＝5.340×108J。速度2＝5.340×108Km。速度＝2.311×104Km。
・宇宙の中心のブラックホールが1017太陽質量の場合。
軌道エネルギー＝5.438×1018＋2n/3JKm÷距離＝5.438×1018＋2×17/3JKm÷(5×107×9.46×1012Km)＝5.438×1029.333JKｍ÷(5×107×9.46×1012Km)＝5.438×2.154×1029JKｍ÷(5×107×9.46×1012Km)＝2.476×109J。速度2＝2.476×109Km。速度＝4.976×104Km。
・宇宙の中心のブラックホールが1018太陽質量の場合。
軌道エネルギー＝5.438×1018＋2n/3JKm÷距離＝5.438×1018＋2×18/3JKm÷(5×107×9.46×1012Km)＝5.438×1030JKｍ÷(5×107×9.46×1012Km)＝1.150×1010J。速度2＝1.150×1010Km。速度＝1.0724×105Km。
・宇宙の中心のブラックホールが1019太陽質量の場合。
軌道エネルギー＝5.438×1018＋2n/3JKm÷距離＝5.438×1018＋2×19/3JKm÷(5×107×9.46×1012Km)＝5.438×1030.66６7JKｍ÷(5×107×9.46×1012Km)＝5.438×4.641×1030JKｍ÷(5×107×9.46×1012Km)＝5.336×1010J。速度2＝5.336×1010Km。速度＝2.310×105Km。
・宇宙の中心のブラックホールが1020太陽質量の場合。
軌道エネルギー＝5.438×1018＋2n/3JKm÷距離＝5.438×1018＋2×20/3JKm÷(5×107×9.46×1012Km)＝5.438×1031.3333JKｍ÷(5×107×9.46×1012Km)＝5.438×2.154×1031JKｍ÷(5×107×9.46×1012Km)＝2.476×1011J。速度2＝2.476×1011J。速度＝4.976×105Km。これは光速以上です。
○それでは光速になるブラックホールの太陽質量はいくらでしょうか。
10n太陽質量であるとします。
5.438×1018＋2n/3JKm÷(5×107×9.46×1012Km)＝9×1010J
1018＋2n/3JKm＝9×1010J×(5×107×9.46×1012Km)÷5.438＝7.828×1030JKｍ＝1030．8936JKｍ
∴18＋2n÷3＝30.8936
2n=(30.8936-18)×3
n=12.8936×3÷2＝19.3404
1019.3404＝2.190×1019
即ち、光速になるブラックホールの太陽質量は2.190×1019太陽質量です。
まとめて表に示す。
表9
2013207811.tif 000011
この事により理解できる事。
1.中心のブラックホールの質量が10太陽質量増加する事によって、軌道エネルギーは4.64倍に成る。同じ軌道の場合、速度は2.154倍に成る。
2.中心のブラックホールの質量が増加すると、同じ軌道の軌道エネルギーは大きくなり、速度は加速する。
【請求項３】
宇宙のすべての原子がブラックホールに成った時、5×107光年の軌道の速度はいくらか。
宇宙全体の原子数は、2.981×1076個であると計算しました。
これは何太陽質量か。
2.981×1076個÷太陽の原子数＝2.981×1076個÷(1.198×1057個)＝2.488×1019(太陽質量)
4.635×1031JKｍ÷(5×107×9.46×1012Km)＝9.799×1010J。速度2＝9.799×1010Km。速度＝3.130×105Km。
光速回転の場はブラックホールの場です。(この事に関しては、特願2011−151316に記した。)
それで、宇宙のすべての原子が宇宙の中心のブラックホールに成った時、5×107光年の軌道は光速に成り、ブラックホールに成る。
【請求項４】
中心のブラックホールの質量が増加する事によって、軌道の速度が3.189×103Kmと成るのは半径何光年の軌道か。(外側の軌道半径はいくらか。)
・現在、中心のブラックホールの質量が2.631×1013太陽質量で、5×107光年の軌道の速度は3.189×103Km です。
それで、中心のブラックホールの質量が2.631×1013太陽質量であると、速度が3.189×103Kmの軌道まで引きつけられると考える。
宇宙の外側の軌道速度を3.189×103Kmと考える。
中心のブラックホールの質量が増加した場合、軌道の速度が3.189×103Kmに成るのは半径何光年の軌道か。(外側の軌道半径を求める)
・中心のブラックホールの質量が1014太陽質量の場合。
距離＝1.171×1028JKｍ÷(3.189×103)2J＝1.171×1028JKｍ÷(1.017×107)＝1.151×1021Km 。1.151×1021Km÷(9.46×1012Km)＝1.217×108光年。
・中心のブラックホールの質量が1015太陽質量の場合。
距離＝5.438×1028JKｍ÷(3.189×103)2J＝5.438×1028JKｍ÷(1.017×107)＝5.347×1021Km。5.347×1021Km÷(9.46×1012Km)＝5.652×108光年。
・中心のブラックホールの質量が1016太陽質量の場合。
距離＝2.524×1029JKm÷(3.189×103)2J＝2.524×1029JKm÷(1.017×107)＝2.482×1022Km。2.482×1022Km÷(9.46×1012Km)＝2.624×109光年。
・中心のブラックホールの質量が1017太陽質量の場合。
距離＝1.171×1030JKm÷(3.189×103)2J＝1.171×1030JKm÷(1.017×107)＝1.151×1023Km。1.151×1023Km÷(9.46×1012Km)＝1.217×1010光年。
・中心のブラックホールの質量が1018太陽質量の場合。
距離＝5.438×1030JKm÷(3.189×103)2J＝5.438×1030JKm÷(1.017×107)＝5.347×1023Km。5.347×1023Km÷(9.46×1012Km)＝5.652×1010光年。
・中心のブラックホールの質量が1019太陽質量の場合。
距離＝2.524×1031JKm÷(3.189×103)2J＝2.524×1031JKm÷(1.017×107)＝2.482×1024Km。2.482×1024Km÷(9.46×1012Km)＝2.624×1011光年。
・中心のブラックホールの質量が1020太陽質量の場合。
距離＝1.171×1032JKm÷(3.189×103)2J＝1.171×1032JKm÷(1.017×107)＝1.151×1025Km。1.151×1025Km÷(9.46×1012Km)＝1.217×1012光年。
この事を表に示す。
表10
2013207811.tif 000012
この事により理解できる事。
1.中心のブラックホールの質量が2.631×1013太陽質量で、速度は3.189×103Kmまでの半径を引く事ができると考える。
2.中心のブラックホールの質量が変化する事によって、半径何光年の軌道を引く事ができるか理解できた。
3.この軌道を宇宙の筒の軌道半径とみなすことができる。
4.ビッグクランチによって、宇宙の筒の軌道半径は拡大する。
5.中心のブラックホールの質量が10太陽質量増加する事によって、宇宙の筒の軌道半径は4.64倍拡大する。
6.中心のブラックホールの質量が1014太陽質量の場合。宇宙の筒の軌道半径は1.217×108光年まで拡大する。この拡大した宇宙にダークマターや原子や元素が存在するならば、容易にビッグクランチはできないのかもしれない。
7.中心のブラックホールの質量が増加する程、宇宙の筒の軌道半径は拡大する。しかし、中心のブラックホールの質量が増加する程、引力は大きくなるので、宇宙に存在するダークマターや原子や元素は中心の引力に引きつけられ、ビッグクランチは速いスピードで進むかもしれない。
【請求項５】
中心のブラックホールの質量が増加する事によって、光速に成る軌道は何光年であるか。(ブラックホールに成る軌道半径はいくらか)
光速の軌道はブラックホールの軌道である。 (この事に関しては、特願2011−151316に記した)
・中心のブラックホールの質量が、2.631×1013太陽質量の場合。
4.810×1027JKｍ÷(9×1010J)÷(9.46×1012Km)＝5.650×103光年。
・中心のブラックホールの質量が、1014太陽質量の場合。
1.171×1028JKｍ÷(9×1010J)÷(9.46×1012Km)＝1.375×104光年。
・中心のブラックホールの質量が、1015太陽質量の場合。
5.438×1028JKｍ÷(9×1010J)÷(9.46×1012Km)＝6.387×104光年。
・中心のブラックホールの質量が、1016太陽質量の場合。
2.524×1029JKｍ÷(9×1010J)÷(9.46×1012Km)＝2.965×105光年。
・中心のブラックホールの質量が、1017太陽質量の場合。
1.171×1030JKｍ÷(9×1010J)÷(9.46×1012Km)＝1.375×106光年。
・中心のブラックホールの質量が、1018太陽質量の場合。
5.438×1030JKｍ÷(9×1010J)÷(9.46×1012Km)＝6.387×106光年。
・中心のブラックホールの質量が、1019太陽質量の場合。
2.524×1031JKｍ÷(9×1010J)÷(9.46×1012Km)＝2.965×107光年。
・中心のブラックホールの質量が、1020太陽質量の場合。
1.171×1032JKｍ÷(9×1010J)÷(9.46×1012Km)＝1.375×108光年。
・中心のブラックホールの質量が、2.190×1019太陽質量の場合。
4.257×1031JKｍ÷(9×1010J)÷(9.46×1012Km)＝5×107光年。
・中心のブラックホールの質量が、2.488×1019太陽質量の場合。
4.635×1031JKｍ÷(9×1010J)÷(9.46×1012Km)＝5.444×107光年。
この事を表に示す。
表11
2013207811.tif 000013
この事により理解できる事。
1.中心のブラックホールの質量が増加する事によって、光速に成る軌道半径は拡大する。
2.中心のブラックホールの質量が増加する事によって、軌道半径は拡大する。
3.中心のブラックホールの質量が10太陽質量増加する事によって、速度が同じ場の軌道は4.647倍拡大する。
4.現在、軌道が拡大し、かつ速度が加速されている事は、中心のブラックホールの質量が大きく成っているからだと考えられる。
5.光速に成る軌道はブラックホールです。
6.これはビッグクランチです。
【請求項６】
ビッグクランチが始まったら、これから宇宙はどのようになっていくか。
現在は、10−14ｍの時代です。宇宙の半径は5×107光年です。地球のAは1で電子のラブの公転は10−10ｍです。宇宙のAは104で、電子のラブの公転軌道は10−14ｍです。
しかし、ブラックホールの空間は10−16mです。
ここではブラックホールの空間について考えます。
○ブラックホールの球体の半径はどのように変化するか。
ビッグクランチに成ると、中心のブラックホールの質量は大きくなります。そして、宇宙は次第にビッグバンの場に近づく状態に成ります。
それで、現在は10−14m時代なのですが、次第に10−15m時代、10−16m時代、10−17m時代、10−18m時代、10−19m時代、10−20m時代、と進み、10−23m時代に成ると、A=1013の場に成り、再びビッグバンがおきます。
・現在、ブラックホールの球体の半径はいくらか。
ブラックホールの半径に存在する原子数は1.960×1023個です。ブラックホールの原子数は3.152×1070個です。(この事については、2011年6月13日に提出した、特願2011−130790に記した)
原子の大きさは、10−16mです。
それで、ブラックホールの球体の半径は、ブラックホールの球体の半径＝半径に存在する原子数×原子の大きさ＝1.960×1023個×10−16m＝1.960×107m、です。
次のように変化します。
・10−15m時代。
中心のブラックホールの原子数は10倍に成ります。ブラックホールの原子数は3.152×1071個です。
半径に存在する原子数はいくらか。4π÷3r3＝3.152×1071個。r3=3.152×1071個÷4π/3=0.7529×1071個。r=(0.7529×1071個)1/3=(75.29×1069)1/3=4.2225×1023個
10−15m時代。ブラックホールのエネルギーは10倍に成り、電子のラブの公転軌道は1/10に成ります。10−17mに成ります。
それで、ブラックホールの球体の半径＝半径に存在する原子数×原子の大きさ＝4.2225×1023個×10−17m＝4.2225×106m、です。
・10−16m時代。
中心のブラックホールの原子数は100倍に成ります。ブラックホールの原子数は3.152×1072個です。
半径に存在する原子数はいくらか。4π÷3r3＝3.152×1072個。r3=3.152×1072個÷4π/3=0.7529×1072個。r=(0.7529×1072個)1/3=0.910×1024個＝9.10×1023個
10−16m時代。ブラックホールのエネルギーは100倍に成り、電子のラブの公転軌道は1/100に成ります。10−18mに成ります。
それで、ブラックホールの球体の半径＝半径に存在する原子数×原子の大きさ＝0.910×1024個×10−18m＝9.10×105m、です。
・10−17m時代。
中心のブラックホールの原子数は1000倍に成ります。ブラックホールの原子数は3.152×1073個です。
半径に存在する原子数はいくらか。4π÷3r3＝3.152×1073個。r3=3.152×1073個÷4π/3=0.7529×1073個。r=(0.7529×1073個)1/3=(7.529×1072個)1/3=1.960×1024個
10−17m時代。ブラックホールのエネルギーは1000倍に成り、電子のラブの公転軌道は1/1000に成ります。10−19mに成ります。
それで、ブラックホールの球体の半径＝半径に存在する原子数×原子の大きさ＝1.960×1024個×10−19m＝1.960×105m、です。
・10−18m時代。
中心のブラックホールの原子数は104倍に成ります。ブラックホールの原子数は3.152×1074個です。
半径に存在する原子数はいくらか。4π÷3r3＝3.152×1074個。r3=3.152×1074個÷4π/3=0.7529×1074個。r=(0.7529×1074個)1/3=(75.29×1072個)1/3=4.223×1024個
10−18m時代。ブラックホールのエネルギーは104倍に成り、電子のラブの公転軌道は10-4倍に成ります。10−20mに成ります。
それで、ブラックホールの球体の半径＝半径に存在する原子数×原子の大きさ＝4.223×1024個×10−20m＝4.223×104m、です。
・10−19m時代。
中心のブラックホールの原子数は105倍に成ります。ブラックホールの原子数は3.152×1075個です。
半径に存在する原子数はいくらか。4π÷3r3＝3.152×1075個。r3=3.152×1075個÷4π/3=0.7529×1075個。r=(0.7529×1075個)1/3=0.910×1025個＝9.10×1024個
10−19m時代。ブラックホールのエネルギーは105倍に成り、電子のラブの公転軌道は10-5倍に成ります。10−21mに成ります。
それで、ブラックホールの球体の半径＝半径に存在する原子数×原子の大きさ＝0.910×1025個×10−21m＝9.10×103m、です。
・10−20m時代。
中心のブラックホールの原子数は106倍に成ります。ブラックホールの原子数は3.152×1076個です。
半径に存在する原子数はいくらか。4π÷3r3＝3.152×1076個。r3=3.152×1076個÷4π/3=0.7529×1076個。r=(0.7529×1076個)1/3=(7.529×1075個)1/3=1.960×1025個
10−20m時代。ブラックホールのエネルギーは106倍に成り、電子のラブの公転軌道は10-6倍に成ります。10−22mに成ります。
それで、ブラックホールの球体の半径＝半径に存在する原子数×原子の大きさ＝1.960×1025個×10−22m＝1.960×103m、です。
・10−21m時代。
中心のブラックホールの原子数は107倍に成ります。ブラックホールの原子数は3.152×1077個です。
半径に存在する原子数はいくらか。4π÷3r3＝3.152×1077個。r3=3.152×1077個÷4π/3=0.7529×1077個。r=(0.7529×1077個)1/3=(75.29×1075個)1/3=4.223×1025個
10−21m時代。ブラックホールのエネルギーは107倍に成り、電子のラブの公転軌道は10-7倍に成ります。10−23mに成ります。
それで、ブラックホールの球体の半径＝半径に存在する原子数×原子の大きさ＝4.223×1025個×10−23m＝4.223×102m、です。
・10−22m時代。
中心のブラックホールの原子数は108倍に成ります。ブラックホールの原子数は3.152×1078個です。
半径に存在する原子数はいくらか。4π÷3r3＝3.152×1078個。r3=3.152×1078個÷4π/3=0.7529×1078個。r=(0.7529×1078個)1/3=0.910×1026個=9.10×1025個
10−22m時代。ブラックホールのエネルギーは108倍に成り、電子のラブの公転軌道は10-8倍に成ります。10−24mに成ります。
それで、ブラックホールの球体の半径＝半径に存在する原子数×原子の大きさ＝9.10×1025個×10−24m＝9.10×10m、です。
・10−23m時代。
中心のブラックホールの原子数は109倍に成ります。ブラックホールの原子数は3.152×1079個です。
半径に存在する原子数はいくらか。4π÷3r3＝3.152×1079個。r3=3.152×1079個÷4π/3=0.7529×1079個。r=(0.7529×1079個)1/3=(7.529×1078個)1/3=1.960×1026個
10−23m時代。ブラックホールのエネルギーは109倍に成り、電子のラブの公転軌道は10-9倍に成ります。10−25mに成ります。
それで、ブラックホールの球体の半径＝半径に存在する原子数×原子の大きさ＝1.960×1026個×10−25m＝1.960×10m、です。
この事を表に示す。
表12
2013207811.tif 000014
この事により理解できる事。
1.中心のブラックホールの質量は増加し、大きさは次第に縮小する。
2.ビッグクランチは続き最後にはA=1013の場に成り、ビッグバンがおきる。
3.ビッグバンがおき、再び宇宙は生まれる。
4.10−23m時代、ブラックホールの原子数は3.152×1079個です。この事はダークマターである自転だけしていた電子のラブと、自転だけしていた陽子のラブは、ブラックホールの中で活性化され、結合し、原子に成った事を意味する。
5.現在、ダークマターは原子の361倍存在するので、これが原子に成るから、再びビッグバンをおこし、再生される宇宙は原子数が3.152×1079個の宇宙に成る。
○それでは、現代、中心のブラックホールの質量が2.631×1013太陽質量である場を、10−14m時代とし、空間は1、とする。
中心のブラックホールの質量が1014太陽質量になる場を、10−15m時代とし、空間は1/10とする。
中心のブラックホールの質量が1015太陽質量になる場を、10−16m時代とし、空間は1/100とする。
中心のブラックホールの質量が1016太陽質量になる場を、10−17m時代とし、空間は1/1000とする。
中心のブラックホールの質量が1017太陽質量になる場を、10−1８m時代とし、空間は10−4倍とする。
中心のブラックホールの質量が1018太陽質量になる場を、10−19m時代とし、空間は10−5倍とする。
中心のブラックホールの質量が1019太陽質量になる場を、10−20m時代とし、空間は10−6倍とする。
中心のブラックホールの質量が1020太陽質量になる場を、10−21m時代とし、空間は10−7倍とする。
○上のように考えると、軌道の速度が3.189×103Kmに成るのは半径何光年の軌道か。(宇宙の外側の軌道半径はいくらか)
表13
2013207811.tif 000015
○上のように考えると、軌道の速度が3×105Kmに成るのは半径何光年の軌道か。(ブラックホールの範囲の軌道半径はいくらか)
表14
2013207811.tif 000016
この事によって理解できる事。
1.ビッグクランチによって、宇宙は小さくなる。
2.初めに考えた、軌道エネルギーの式で計算したデーターはビッグクランチによって、宇宙の外側の軌道半径は拡大し、ブラックホールの範囲の軌道半径も拡大している。これはおかしい。
3.後に考えた、場のエネルギーを考え、場の空間を考える事によって、宇宙の外側の軌道半径は収縮し、ブラックホールの範囲の軌道半径も収縮している事が理解できた。
4.そうすると、軌道の拡大はどこかでストップしなければならない。これは残された課題です。
【請求項７】
ブラックホールはどのように成っているか。
ブラックホールの中心にブラックホールの球がある。
その周囲をブラックホールが作る軌道が存在する。
ブラックホール全体の範囲は、光速軌道までです。
【発明の詳細な説明】
【技術分野】
【０００１】
本発明は、宇宙の中心のブラックホールの質量と軌道エネルギーの式と軌道エネルギー(加速度)と速度に関するものである。
現在、宇宙は拡大し、加速しているといわれます。どうしてこのような現象は起きるのか。私は、宇宙の軌道エネルギー＝4.827×10−27JKm÷距離＝速度2、であると解きました。(この事については、特願2011−130790に記した)  この式から、軌道が大きく成ったのであれば、速度は減速するはずです。
【背景技術】
【０００２】
最近、宇宙の速度は加速されているといいます。
宇宙の軌道エネルギーは、中心のブラックホールの質量を10n太陽質量であるとすると、軌道エネルギー＝5.438×1018＋2n/3JKm÷距離＝速度2、です。この式により、中心のブラックホールの質量によって、軌道エネルギーが変化する事が理解できる。
【先行技術文献】
【非特許文献】
【０００３】
【特許文献１】特願2008−113159
【特許文献２】特願2011−114246
【特許文献３】特願2011−130790
【特許文献４】特願2011−151316
【発明の概要】
【発明が解決しようとする課題】
【０００４】
宇宙が加速されている場合、どのような事が必要条件に成るか。
宇宙の公転軌道エネルギー＝4.827×1027Jkm÷距離＝公転速度2、です。公転速度2×中心からの距離＝4.827×1027Jkm。公転速度2＝4.827×1027Jkm÷中心からの距離。
中心からの距離が大きくなると、公転速度は遅くなります。
中心からの距離が小さくなると、公転速度は速く成ります。
宇宙の速度が加速されている場合の必要条件は、中心からの距離が小さくなる事です。中心からの距離が小さくなる事の必要条件は引力が大きくなる事です。軌道の引力は主に、中心のブラックホールですので、中心のブラックホールの質量エネルギーが大きくなる事です。中心のブラックホールの質量エネルギーが大きくなる事は、ビッグクランチを意味しています。即ち、軌道の速度が速くなる事は、中心のブラックホールの質量エネルギーが大きくなることで、宇宙はビッグクランチしている事を示す。
【課題を解決するための手段】
【０００５】
私は2011年7月8日に提出した特願2011−151316において、ブラックホールとブラックホールの間の引力2について記した。そして更に、中央のブラックホールと各々の軌道のブラックホール間の引力2について記した。そして更に、中央のブラックホールと各々の軌道のブラックホール間の引力2÷ブラックホールとブラックホールの間の引力2の値を表に記した。この表により、外側の軌道ほど中央のブラックホールと各々の軌道のブラックホール間の引力2の方がブラックホールとブラックホールの間の引力2より強く引いている事を理解した。
この理解により、外側の軌道の速度は、中央のブラックホールにより影響を受ける事が解る。
同じ軌道であっても、ブラックホールの質量エネルギーが大きくなったら、軌道エネルギーは大きく成り、加速する。
軌道エネルギー＝速度2×距離。軌道エネルギー＝中心となる物から出発する電気の光子1個のエネルギー×中心となる物の表面の原子数×105Km÷距離。
ブラックホールの場合、ブラックホールの質量を10n太陽質量だとすると、ブラックホールが作る軌道エネルギー＝5.438×1018＋2n/3Jkm÷距離、です。
それで、距離が同じであっても、ブラックホールの質量が大きくなると、軌道エネルギーは大きくなり、公転速度2は速くなり、加速される。
この事を計算によって、証明する。
【発明の効果】
【０００６】
次の事が理解できた。
１．現在、宇宙は膨張し、かつ加速している現象は、宇宙の中心のブラックホールの質量は増加している事を示している。
２．これはビッグクランチです。
３．宇宙はこれからビッグクランチし続ける。
４．そして、10−23m時代に成った時、ビッグバンがおき、宇宙は再生される。
【図面の簡単な説明】
【０００７】
【図１】図1は、表1を図示するもので、同じ軌道(5×107光年)でも、中心のブラックホールの質量が2.631×1013太陽質量の場合は、速度は3.189×103Kmで、中心のブラックホールの質量が1014太陽質量の場合は、速度は加速し、4.976×103Kmです。同じ速度(3.189×103Km)で回転する場合、中心のブラックホールの質量が2.631×1013太陽質量の場合は、半径軌道は5×107光年で、中心のブラックホールの質量が1014太陽質量の場合は、半径軌道は、1.217×108光年であり、軌道は拡大している。この事によって、中心のブラックホールの質量が増加すると、速度は加速し、軌道は拡大する。
【発明を実施するための形態】
【０００８】
1．    宇宙の筒の外側の半径は拡大し、かつ、加速される場合の条件は何か。
ブラックホールの質量を10n太陽質量だとすると、ブラックホールが作る軌道エネルギー＝5.438×1018＋2n/3Jkm÷距離、です。
それで、距離が同じであっても、ブラックホールの質量が大きくなると、軌道エネルギーは大きくなり、公転速度2は速くなり、加速される。
この事を計算によって、証明する。
宇宙の筒の外側の半径は拡大し、かつ、加速される場合、中心のブラックホールの質量が大きく成る事が必要です。
現在、中心のブラックホールの質量は2.631×1013太陽質量です。5×107光年の軌道の速度は3.189×103Kmです。
もし、中心のブラックホールの質量が101４太陽質量である場合、5×107光年の速度はいくらであるか。そして、3.189×103Kmの速度で走る軌道半径はいくらであるか。
中心のブラックホールの質量が101４太陽質量である場合、軌道エネルギーは、ブラックホールが作る軌道エネルギー＝5.438×1018＋2n/3Jkm÷距離＝5.438×1018＋2×14/3Jkm÷距離＝5.438×1018＋9.3333JKｍ÷距離＝5.438×2.154×1027JKm ÷距離＝1.171×1028JKm÷距離、です。
5×107光年の速度はいくらであるか。
5×107光年の速度は、1.171×1028JKm÷(5×107×9.46×1012Km)＝2.476×10７J。速度＝(2.476×10７)1/2Km=4.976×103Km、です。
5×107光年の速度は4.976×103Kmですから、加速している。
速度は何倍に成っているか。
速度は、4.976×103Km÷(3.189×103Km)＝1.560(倍)に成っている。
軌道エネルギーは何倍に成っているか。
軌道エネルギーは、2.476×10７J÷(3.189×103)2J＝2.476×10７÷(1.017×10７)＝2.435(倍)に成っている。
3.189×103Kmの速度で走る軌道半径はいくらであるか。
1.171×1028JKm÷距離＝速度2。距離＝1.171×1028JKm÷速度2＝1.171×1028JKm÷(3.189×103)2J＝1.1515×1021Km。1.1515×102１Km÷(9.46×1012Km)＝1.217×108光年
3.189×103Kmの速度で走る軌道半径は1.217×108光年です。
軌道半径は何倍に成っているか。軌道は、1.217×108光年÷(5×107光年)＝2.434(倍)に成っている。
この事によって、中心のブラックホールの質量が増加すると、軌道半径は膨張し、加速する事が理解できた。
表に示す。
表1
2013207811.tif 000003
２．    ブラックホールの太陽質量と軌道エネルギーの式と軌道エネルギーと速度について。
距離をまず5×107光年とします。
宇宙の中心のブラックホールは、2.631×1013太陽質量ですから、これ以上に成った場合を計算します。
・宇宙の中心のブラックホールが2.631×1013太陽質量の場合。2.631×1013＝1013.4202 
軌道エネルギー＝5.438×1018＋2n/3JKm÷距離＝5.438×1018＋2×13.4202÷3JKm÷距離＝5.438×1018＋8.9468JKm÷距離＝5.438×1026.9468JKm÷距離＝5.438×8.846×1026JKm÷距離＝4.810×1027JKｍ÷(5×107×9.46×1012Km)＝1.017×107J。速度2＝1.017×107Km。速度＝3.189×103Km
・宇宙の中心のブラックホールが1014太陽質量の場合。
軌道エネルギー＝5.438×1018＋2n/3JKm÷距離＝5.438×1018＋2×14/3JKm÷(5×107×9.46×1012Km)＝5.438×1027.333JKm÷(5×107×9.46×1012Km)＝5.438×2.154×1027JKm÷(5×107×9.46×1012Km)＝1.171×1028JKｍ÷(5×107×9.46×1012Km)＝2.476×107J。  速度2＝2.476×107Km。速度＝4.976×103Km。
・宇宙の中心のブラックホールが1015太陽質量の場合。
軌道エネルギー＝5.438×1018＋2n/3JKm÷距離＝5.438×1018＋2×15/3JKm÷(5×107×9.46×1012Km)＝1.150×108J  速度2＝1.150×108Km。速度＝1.072×104Km。
・宇宙の中心のブラックホールが1016太陽質量の場合。
軌道エネルギー＝5.438×1018＋2n/3JKm÷距離＝5.438×1018＋2×16/3JKm÷(5×107×9.46×1012Km)＝5.438×1028.667JKm÷(5×107×9.46×1012Km)＝5.438×4.641×1028JKｍ÷(5×107×9.46×1012Km)＝5.340×108J。速度2＝5.340×108Km。速度＝2.311×104Km。
・宇宙の中心のブラックホールが1017太陽質量の場合。
軌道エネルギー＝5.438×1018＋2n/3JKm÷距離＝5.438×1018＋2×17/3JKm÷(5×107×9.46×1012Km)＝5.438×1029.333JKｍ÷(5×107×9.46×1012Km)＝5.438×2.154×1029JKｍ÷(5×107×9.46×1012Km)＝2.476×109J。速度2＝2.476×109Km。速度＝4.976×104Km。
・宇宙の中心のブラックホールが1018太陽質量の場合。
軌道エネルギー＝5.438×1018＋2n/3JKm÷距離＝5.438×1018＋2×18/3JKm÷(5×107×9.46×1012Km)＝5.438×1030JKｍ÷(5×107×9.46×1012Km)＝1.150×1010J。速度2＝1.150×1010Km。速度＝1.0724×105Km。
・宇宙の中心のブラックホールが1019太陽質量の場合。
軌道エネルギー＝5.438×1018＋2n/3JKm÷距離＝5.438×1018＋2×19/3JKm÷(5×107×9.46×1012Km)＝5.438×1030.66６7JKｍ÷(5×107×9.46×1012Km)＝5.438×4.641×1030JKｍ÷(5×107×9.46×1012Km)＝5.336×1010J。速度2＝5.336×1010Km。速度＝2.310×105Km。
・宇宙の中心のブラックホールが1020太陽質量の場合。
軌道エネルギー＝5.438×1018＋2n/3JKm÷距離＝5.438×1018＋2×20/3JKm÷(5×107×9.46×1012Km)＝5.438×1031.3333JKｍ÷(5×107×9.46×1012Km)＝5.438×2.154×1031JKｍ÷(5×107×9.46×1012Km)＝2.476×1011J。速度2＝2.476×1011J。速度＝4.976×105Km。これは光速以上です。
○それでは光速になるブラックホールの太陽質量はいくらでしょうか。
10n太陽質量であるとします。
5.438×1018＋2n/3JKm÷(5×107×9.46×1012Km)＝9×1010J
1018＋2n/3JKm＝9×1010J×(5×107×9.46×1012Km)÷5.438＝7.828×1030JKｍ＝1030．8936JKｍ
∴18＋2n÷3＝30.8936
2n=(30.8936-18)×3
n=12.8936×3÷2＝19.3404
1019.3404＝2.190×1019
即ち、光速になるブラックホールの太陽質量は2.190×1019太陽質量です。
まとめて表に示す。
表2
2013207811.tif 000004
この事により理解できる事。
1.中心のブラックホールの質量が10太陽質量増加する事によって、軌道エネルギーは4.64倍に成る。同じ軌道の場合、速度は2.154倍に成る。
2.中心のブラックホールの質量が増加すると、同じ軌道の軌道エネルギーは大きくなり、速度は加速する。
３．    宇宙のすべての原子がブラックホールに成った時、5×107光年の軌道の速度はいくらか。
宇宙全体の原子数は、2.981×1076個であると計算しました。
これは何太陽質量か。
2.981×1076個÷太陽の原子数＝2.981×1076個÷(1.198×1057個)＝2.488×1019(太陽質量)
4.635×1031JKｍ÷(5×107×9.46×1012Km)＝9.799×1010J。速度2＝9.799×1010Km。速度＝3.130×105Km。
光速回転の場はブラックホールの場です。(この事に関しては、特願2011−151316に記した。)
それで、宇宙のすべての原子が宇宙の中心のブラックホールに成った時、5×107光年の軌道は光速に成り、ブラックホールに成る。
４．    中心のブラックホールの質量が増加する事によって、軌道の速度が3.189×103Kmと成るのは半径何光年の軌道か。(外側の軌道半径はいくらか。)
・現在、中心のブラックホールの質量が2.631×1013太陽質量で、5×107光年の軌道の速度は3.189×103Km です。
それで、中心のブラックホールの質量が2.631×1013太陽質量であると、速度が3.189×103Kmの軌道まで引きつけられると考える。
宇宙の外側の軌道速度を3.189×103Kmと考える。
中心のブラックホールの質量が増加した場合、軌道の速度が3.189×103Kmに成るのは半径何光年の軌道か。(外側の軌道半径を求める)
・中心のブラックホールの質量が1014太陽質量の場合。
距離＝1.171×1028JKｍ÷(3.189×103)2J＝1.171×1028JKｍ÷(1.017×107)＝1.151×1021Km 。1.151×1021Km÷(9.46×1012Km)＝1.217×108光年。
・中心のブラックホールの質量が1015太陽質量の場合。
距離＝5.438×1028JKｍ÷(3.189×103)2J＝5.438×1028JKｍ÷(1.017×107)＝5.347×1021Km。5.347×1021Km÷(9.46×1012Km)＝5.652×108光年。
・中心のブラックホールの質量が1016太陽質量の場合。
距離＝2.524×1029JKm÷(3.189×103)2J＝2.524×1029JKm÷(1.017×107)＝2.482×1022Km。2.482×1022Km÷(9.46×1012Km)＝2.624×109光年。
・中心のブラックホールの質量が1017太陽質量の場合。
距離＝1.171×1030JKm÷(3.189×103)2J＝1.171×1030JKm÷(1.017×107)＝1.151×1023Km。1.151×1023Km÷(9.46×1012Km)＝1.217×1010光年。
・中心のブラックホールの質量が1018太陽質量の場合。
距離＝5.438×1030JKm÷(3.189×103)2J＝5.438×1030JKm÷(1.017×107)＝5.347×1023Km。5.347×1023Km÷(9.46×1012Km)＝5.652×1010光年。
・中心のブラックホールの質量が1019太陽質量の場合。
距離＝2.524×1031JKm÷(3.189×103)2J＝2.524×1031JKm÷(1.017×107)＝2.482×1024Km。2.482×1024Km÷(9.46×1012Km)＝2.624×1011光年。
・中心のブラックホールの質量が1020太陽質量の場合。
距離＝1.171×1032JKm÷(3.189×103)2J＝1.171×1032JKm÷(1.017×107)＝1.151×1025Km。1.151×1025Km÷(9.46×1012Km)＝1.217×1012光年。
この事を表に示す。
表3
2013207811.tif 000005
この事により理解できる事。
1.中心のブラックホールの質量が2.631×1013太陽質量で、速度は3.189×103Kmまでの半径を引く事ができると考える。
2.中心のブラックホールの質量が変化する事によって、半径何光年の軌道を引く事ができるか理解できた。
3.この軌道を宇宙の筒の軌道半径とみなすことができる。
4.ビッグクランチによって、宇宙の筒の軌道半径は拡大する。
5.中心のブラックホールの質量が10太陽質量増加する事によって、宇宙の筒の軌道半径は4.64倍拡大する。
6.中心のブラックホールの質量が1014太陽質量の場合。宇宙の筒の軌道半径は1.217×108光年まで拡大する。この拡大した宇宙にダークマターや原子や元素が存在するならば、容易にビッグクランチはできないのかもしれない。
7.中心のブラックホールの質量が増加する程、宇宙の筒の軌道半径は拡大する。しかし、中心のブラックホールの質量が増加する程、引力は大きくなるので、宇宙に存在するダークマターや原子や元素は中心の引力に引きつけられ、ビッグクランチは速いスピードで進むかもしれない。
５．    中心のブラックホールの質量が増加する事によって、光速に成る軌道は何光年であるか。(ブラックホールに成る軌道半径はいくらか)
光速の軌道はブラックホールの軌道である。 (この事に関しては、特願2011−151316に記した)
・中心のブラックホールの質量が、2.631×1013太陽質量の場合。
4.810×1027JKｍ÷(9×1010J)÷(9.46×1012Km)＝5.650×103光年。
・中心のブラックホールの質量が、1014太陽質量の場合。
1.171×1028JKｍ÷(9×1010J)÷(9.46×1012Km)＝1.375×104光年。
・中心のブラックホールの質量が、1015太陽質量の場合。
5.438×1028JKｍ÷(9×1010J)÷(9.46×1012Km)＝6.387×104光年。
・中心のブラックホールの質量が、1016太陽質量の場合。
2.524×1029JKｍ÷(9×1010J)÷(9.46×1012Km)＝2.965×105光年。
・中心のブラックホールの質量が、1017太陽質量の場合。
1.171×1030JKｍ÷(9×1010J)÷(9.46×1012Km)＝1.375×106光年。
・中心のブラックホールの質量が、1018太陽質量の場合。
5.438×1030JKｍ÷(9×1010J)÷(9.46×1012Km)＝6.387×106光年。
・中心のブラックホールの質量が、1019太陽質量の場合。
2.524×1031JKｍ÷(9×1010J)÷(9.46×1012Km)＝2.965×107光年。
・中心のブラックホールの質量が、1020太陽質量の場合。
1.171×1032JKｍ÷(9×1010J)÷(9.46×1012Km)＝1.375×108光年。
・中心のブラックホールの質量が、2.190×1019太陽質量の場合。
4.257×1031JKｍ÷(9×1010J)÷(9.46×1012Km)＝5×107光年。
・中心のブラックホールの質量が、2.488×1019太陽質量の場合。
4.635×1031JKｍ÷(9×1010J)÷(9.46×1012Km)＝5.444×107光年。
この事を表に示す。
表4
2013207811.tif 000006
この事により理解できる事。
1.中心のブラックホールの質量が増加する事によって、光速に成る軌道半径は拡大する。
2.中心のブラックホールの質量が増加する事によって、軌道半径は拡大する。
3.中心のブラックホールの質量が10太陽質量増加する事によって、速度が同じ場の軌道は4.647倍拡大する。
4.現在、軌道が拡大し、かつ速度が加速されている事は、中心のブラックホールの質量が大きく成っているからだと考えられる。
5.光速に成る軌道はブラックホールです。
6.これはビッグクランチです。
６．    ビッグクランチが始まったら、これから宇宙はどのようになっていくか。
現在は、10−14ｍの時代です。宇宙の半径は5×107光年です。地球のAは1で電子のラブの公転は10−10ｍです。宇宙のAは104で、電子のラブの公転軌道は10−14ｍです。
しかし、ブラックホールの空間は10−16mです。
ここではブラックホールの空間について考えます。
○ブラックホールの球体の半径はどのように変化するか。
ビッグクランチに成ると、中心のブラックホールの質量は大きくなります。そして、宇宙は次第にビッグバンの場に近づく状態に成ります。
それで、現在は10−14m時代なのですが、次第に10−15m時代、10−16m時代、10−17m時代、10−18m時代、10−19m時代、10−20m時代、と進み、10−23m時代に成ると、A=1013の場に成り、再びビッグバンがおきます。
・現在、ブラックホールの球体の半径はいくらか。
ブラックホールの球体の半径に存在する原子数は1.960×1023個です。ブラックホールの原子数は3.152×1070個です。(この事については、2011年6月13日に提出した、特願2011−130790に記した)
原子の大きさは、10−16mです。
それで、ブラックホールの球体の半径は、ブラックホールの球体の半径＝半径に存在する原子数×原子の大きさ＝1.960×1023個×10−16m＝1.960×107m、です。
次のように変化します。
・10−15m時代。
中心のブラックホールの原子数は10倍に成ります。ブラックホールの原子数は3.152×1071個です。
半径に存在する原子数はいくらか。4π÷3r3＝3.152×1071個。r3=3.152×1071個÷4π/3=0.7529×1071個。r=(0.7529×1071個)1/3=(75.29×1069)1/3=4.2225×1023個
10−15m時代。ブラックホールのエネルギーは10倍に成り、電子のラブの公転軌道は1/10に成ります。10−17mに成ります。
それで、ブラックホールの球体の半径＝半径に存在する原子数×原子の大きさ＝4.2225×1023個×10−17m＝4.2225×106m、です。
・10−16m時代。
中心のブラックホールの原子数は100倍に成ります。ブラックホールの原子数は3.152×1072個です。
半径に存在する原子数はいくらか。4π÷3r3＝3.152×1072個。r3=3.152×1072個÷4π/3=0.7529×1072個。r=(0.7529×1072個)1/3=0.910×1024個＝9.10×1023個
10−16m時代。ブラックホールのエネルギーは100倍に成り、電子のラブの公転軌道は1/100に成ります。10−18mに成ります。
それで、ブラックホールの球体の半径＝半径に存在する原子数×原子の大きさ＝0.910×1024個×10−18m＝9.10×105m、です。
・10−17m時代。
中心のブラックホールの原子数は1000倍に成ります。ブラックホールの原子数は3.152×1073個です。
半径に存在する原子数はいくらか。4π÷3r3＝3.152×1073個。r3=3.152×1073個÷4π/3=0.7529×1073個。r=(0.7529×1073個)1/3=(7.529×1072個)1/3=1.960×1024個
10−17m時代。ブラックホールのエネルギーは1000倍に成り、電子のラブの公転軌道は1/1000に成ります。10−19mに成ります。
それで、ブラックホールの球体の半径＝半径に存在する原子数×原子の大きさ＝1.960×1024個×10−19m＝1.960×105m、です。
・10−18m時代。
中心のブラックホールの原子数は104倍に成ります。ブラックホールの原子数は3.152×1074個です。
半径に存在する原子数はいくらか。4π÷3r3＝3.152×1074個。r3=3.152×1074個÷4π/3=0.7529×1074個。r=(0.7529×1074個)1/3=(75.29×1072個)1/3=4.223×1024個
10−18m時代。ブラックホールのエネルギーは104倍に成り、電子のラブの公転軌道は10-4倍に成ります。10−20mに成ります。
それで、ブラックホールの球体の半径＝半径に存在する原子数×原子の大きさ＝4.223×1024個×10−20m＝4.223×104m、です。
・10−19m時代。
中心のブラックホールの原子数は105倍に成ります。ブラックホールの原子数は3.152×1075個です。
半径に存在する原子数はいくらか。4π÷3r3＝3.152×1075個。r3=3.152×1075個÷4π/3=0.7529×1075個。r=(0.7529×1075個)1/3=0.910×1025個＝9.10×1024個
10−19m時代。ブラックホールのエネルギーは105倍に成り、電子のラブの公転軌道は10-5倍に成ります。10−21mに成ります。
それで、ブラックホールの球体の半径＝半径に存在する原子数×原子の大きさ＝0.910×1025個×10−21m＝9.10×103m、です。
・10−20m時代。
中心のブラックホールの原子数は106倍に成ります。ブラックホールの原子数は3.152×1076個です。
半径に存在する原子数はいくらか。4π÷3r3＝3.152×1076個。r3=3.152×1076個÷4π/3=0.7529×1076個。r=(0.7529×1076個)1/3=(7.529×1075個)1/3=1.960×1025個
10−20m時代。ブラックホールのエネルギーは106倍に成り、電子のラブの公転軌道は10-6倍に成ります。10−22mに成ります。
それで、ブラックホールの球体の半径＝半径に存在する原子数×原子の大きさ＝1.960×1025個×10−22m＝1.960×103m、です。
・10−21m時代。
中心のブラックホールの原子数は107倍に成ります。ブラックホールの原子数は3.152×1077個です。
半径に存在する原子数はいくらか。4π÷3r3＝3.152×1077個。r3=3.152×1077個÷4π/3=0.7529×1077個。r=(0.7529×1077個)1/3=(75.29×1075個)1/3=4.223×1025個
10−21m時代。ブラックホールのエネルギーは107倍に成り、電子のラブの公転軌道は10-7倍に成ります。10−23mに成ります。
それで、ブラックホールの球体の半径＝半径に存在する原子数×原子の大きさ＝4.223×1025個×10−23m＝4.223×102m、です。
・10−22m時代。
中心のブラックホールの原子数は108倍に成ります。ブラックホールの原子数は3.152×1078個です。
半径に存在する原子数はいくらか。4π÷3r3＝3.152×1078個。r3=3.152×1078個÷4π/3=0.7529×1078個。r=(0.7529×1078個)1/3=0.910×1026個=9.10×1025個
10−22m時代。ブラックホールのエネルギーは108倍に成り、電子のラブの公転軌道は10-8倍に成ります。10−24mに成ります。
それで、ブラックホールの球体の半径＝半径に存在する原子数×原子の大きさ＝9.10×1025個×10−24m＝9.10×10m、です。
・10−23m時代。
中心のブラックホールの原子数は109倍に成ります。ブラックホールの原子数は3.152×1079個です。
半径に存在する原子数はいくらか。4π÷3r3＝3.152×1079個。r3=3.152×1079個÷4π/3=0.7529×1079個。r=(0.7529×1079個)1/3=(7.529×1078個)1/3=1.960×1026個
10−23m時代。ブラックホールのエネルギーは109倍に成り、電子のラブの公転軌道は10-9倍に成ります。10−25mに成ります。
それで、ブラックホールの球体の半径＝半径に存在する原子数×原子の大きさ＝1.960×1026個×10−25m＝1.960×10m、です。
この事を表に示す。
表5
2013207811.tif 000007
この事により理解できる事。
1.中心のブラックホールの質量は増加し、大きさは次第に縮小する。
2.ビッグクランチは続き最後にはA=1013の場に成り、ビッグバンがおきる。
3.ビッグバンがおき、再び宇宙は生まれる。
4.10−23m時代、ブラックホールの原子数は3.152×1079個です。この事はダークマターである自転だけしていた電子のラブと、自転だけしていた陽子のラブは、ブラックホールの中で活性化され、結合し、原子に成った事を意味する。
5.現在、ダークマターは原子の361倍存在するので、これが原子に成るから、再びビッグバンをおこし、再生される宇宙は原子数が3.152×1079個の宇宙に成る。
○それでは、現代、中心のブラックホールの質量が2.631×1013太陽質量である場を、10−14m時代とし、空間は1、とする。
中心のブラックホールの質量が1014太陽質量になる場を、10−15m時代とし、空間は1/10とする。
中心のブラックホールの質量が1015太陽質量になる場を、10−16m時代とし、空間は1/100とする。
中心のブラックホールの質量が1016太陽質量になる場を、10−17m時代とし、空間は1/1000とする。
中心のブラックホールの質量が1017太陽質量になる場を、10−1８m時代とし、空間は10−4倍とする。
中心のブラックホールの質量が1018太陽質量になる場を、10−19m時代とし、空間は10−5倍とする。
中心のブラックホールの質量が1019太陽質量になる場を、10−20m時代とし、空間は10−6倍とする。
中心のブラックホールの質量が1020太陽質量になる場を、10−21m時代とし、空間は10−7倍とする。
○上のように考えると、軌道の速度が3.189×103Kmに成るのは半径何光年の軌道か。(宇宙の外側の軌道半径はいくらか)
表6
2013207811.tif 000008
○上のように考えると、軌道の速度が3×105Kmに成るのは半径何光年の軌道か。(ブラックホールの範囲の軌道半径はいくらか)
表7
2013207811.tif 000009
この事によって理解できる事。
1.ビッグクランチによって、宇宙は小さくなる。
2.初めに考えた、軌道エネルギーの式で計算したデーターはビッグクランチによって、宇宙の外側の軌道半径は拡大し、ブラックホールの範囲の軌道半径も拡大している。これはおかしい。
3.後に考えた、場のエネルギーを考え、場の空間を考える事によって、宇宙の外側の軌道半径は収縮し、ブラックホールの範囲の軌道半径も収縮している事が理解できた。
4.そうすると、軌道の拡大はどこかでストップしなければならない。これは残された課題です。
７．    ブラックホールはどのようになっているか。
ブラックホールの中心にブラックホールの球がある。
その周囲をブラックホールが作る軌道が存在する。
ブラックホール全体の範囲は、光速軌道までです。
【産業上の利用可能性】
【０００９】
宇宙を理解する事に役立つ。
宇宙の未来を知る事は科学の発展に成る。
【符号の説明】
【００１０】
１．中心のブラックホールの質量が2.631×1013太陽質量の場合
2．中心のブラックホールの質量が1014太陽質量
3．半径5×107光年の軌道の速度は3.189×103Km。
4．半径5×107光年の軌道の速度は4.976×103Kmで加速している。
5．3.189×103Kmで走る軌道半径は5×107光年です。
6．3.189×103Kmで走る軌道半径は1.217×108光年で軌道は拡大している。
【図１】
2013207811.tif 000017